【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
インクを吐出するための複数の吐出口が配列方向に配列された吐出口列を有する吐出ヘッドと、
前記記録媒体を加熱する加熱手段と、
前記吐出口列を分割してなる複数の分割部分のうちそれぞれ異なる分割部分が複数回の走査それぞれで単位領域と対面するように、前記吐出ヘッドを前記単位領域に対して前記配列方向と交差する走査方向に相対的に複数回走査させる走査手段と、
記録の許容を定める記録許容画素と記録の非許容を定める非記録許容画素が配置された分割パターンを前記単位領域に対応する画像のデータに対して適用することで、前記単位領域に対する前記複数回の走査それぞれにおける前記複数の分割部分それぞれからの吐出にて使用する記録データを生成する生成手段と、を備えた画像記録装置であって、
前記分割パターンは、前記吐出口列の前記配列方向における第１の位置に対応する第１の領域と、前記吐出口列の前記配列方向における前記第１の位置よりも端部側の第２の位置に対応する第２の領域と、を含み、
前記第１の領域における記録許容画素の間の距離の平均は、前記第２の領域における記録許容画素の間の距離の平均よりも長いことを特徴とする画像記録装置。
【請求項２】
インクを吐出するための複数の吐出口が配列方向に配列された吐出ヘッドと、
前記記録媒体を加熱する加熱手段と、
前記吐出ヘッドを前記記録媒体上の単位領域に対して前記配列方向と交差する走査方向に相対的に複数回走査させる走査手段と、
記録の許容を定める記録許容画素と記録の非許容を定める非記録許容画素が配置された分割パターンを前記単位領域に対応する画像のデータに対して適用することで、前記単位領域に対する前記複数回の走査それぞれにおいて使用する記録データを生成する生成手段と、を備えた画像記録装置であって、
前記分割パターンは、吐出されたインクが前記記録媒体に着弾した際に第１の温度となる前記単位領域内の領域に対応する第１の領域と、吐出されたインクが前記記録媒体に着弾した際に前記１の温度より高い第２の温度となる前記単位領域内の領域に対応する第２の領域と、を含み、
前記第１の領域における記録許容画素の間の距離の平均は、前記第２の領域における記録許容画素の間の距離の平均よりも長いことを特徴とする画像記録装置。
【請求項３】
インクを吐出するための複数の吐出口が配列方向に配列された吐出口列を有する吐出ヘッドと、
前記記録媒体を加熱する加熱手段と、
前記吐出口列を分割してなる複数の分割部分のうちそれぞれ異なる分割部分が複数回の走査それぞれで単位領域と対面するように、前記吐出ヘッドを前記単位領域に対して前記配列方向と交差する走査方向に相対的に複数回走査させる走査手段と、
記録の許容を定める記録許容画素と記録の非許容を定める非記録許容画素が配置された分割パターンを前記単位領域に対応する画像のデータに対して適用することで、前記単位領域に対する前記複数回の走査それぞれにおける前記複数の分割部分それぞれからの吐出にて使用する記録データを生成する生成手段と、を備えた画像記録装置であって、
前記分割パターンは、前記吐出口列の前記配列方向における第１の位置に対応する第１の領域と、前記吐出口列の前記配列方向における前記第１の位置よりも端部側の第２の位置に対応する第２の領域と、を含み、
前記第１の領域において互いに隣接して配置された記録許容画素の数の平均は、前記第２の領域において互いに隣接して配置された記録許容画素の数よりも多いことを特徴とする画像記録装置。
【請求項４】
インクを吐出するための複数の吐出口が配列方向に配列された吐出ヘッドと、
前記記録媒体を加熱する加熱手段と、
前記吐出ヘッドを前記記録媒体上の単位領域に対して前記配列方向と交差する走査方向に相対的に複数回走査させる走査手段と、
前記複数回の走査それぞれに対応し、記録の許容を定める記録許容画素と記録の非許容を定める非記録許容画素が配置された分割パターンを前記単位領域に対応する画像のデータに対して適用することで、前記単位領域に対する前記複数回の走査それぞれにおいて使用する記録データを生成する生成手段と、を備えた画像記録装置であって、
前記分割パターンは、吐出されたインクが前記記録媒体に着弾した際に第１の温度となる前記単位領域内の領域に対応する第１の領域と、吐出されたインクが前記記録媒体に着弾した際に前記第１の温度より高い第２の温度となる前記単位領域内の領域に対応する第２の領域と、を含み、
前記第１の領域において互いに隣接して配置された記録許容画素の数の平均は、前記第２の領域において互いに隣接して配置された記録許容画素の数よりも多いことを特徴とする画像記録装置。
【請求項５】
互いに隣接して配置された記録許容画素を１つの記録許容画素の集合単位とした場合、前記第１の領域における記録許容画素の集合単位の間の距離の平均は、前記第２の領域における記録許容画素の集合単位の間の距離の平均よりも長いことを特徴とする請求項３または４に記載の画像記録装置。
【請求項６】
前記第１の領域における非記録許容画素に対する記録許容画素の割合と、前記第２の領域における非記録許容画素に対する記録許容画素の割合と、はほぼ等しいことを特徴とする請求項１から５のいずれか１項に記載の画像記録装置。
【請求項７】
前記記録媒体を支持するプラテンを更に備え、
前記加熱手段は、前記吐出ヘッドを挟んで前記プラテンと対向する位置に配置されていることを特徴とする請求項１から６のいずれか１項に記載の画像記録装置。
【請求項８】
前記加熱手段は、前記配列方向において前記吐出ヘッドと対応する位置に配置されていることを特徴とする請求項１から７のいずれか１項に記載の画像記録装置。
【請求項９】
前記インクは、樹脂エマルジョンを含有することを特徴とする請求項１から８のいずれか１項に記載の画像記録装置。
【請求項１０】
前記記録媒体は、基材上に塩化ビニルにより形成された層を有することを特徴とする請求項１から９のいずれか１項に記載の画像記録装置。
【請求項１１】
インクを吐出するための複数の吐出口が配列方向に配列された吐出口列を有する吐出ヘッドを用いて記録を行う画像記録方法であって、
前記記録媒体を加熱する加熱工程と、
前記吐出口列を分割してなる複数の分割部分のうちそれぞれ異なる分割部分が複数回の走査それぞれで単位領域と対面するように、前記吐出ヘッドを前記単位領域に対して前記配列方向と交差する走査方向に相対的に複数回走査させる走査工程と、
記録の許容を定める記録許容画素と記録の非許容を定める非記録許容画素が配置された分割パターンを前記単位領域に対応する画像のデータに対して適用することで、前記単位領域に対する前記複数回の走査それぞれにおける前記複数の分割部分それぞれからの吐出にて使用する記録データを生成する生成工程と、を備え、
前記分割パターンは、前記吐出口列の前記配列方向における第１の位置に対応する第１の領域と、前記吐出口列の前記配列方向における前記第１の位置よりも端部側の第２の位置に対応する第２の領域と、を含み、
前記第１の領域における記録許容画素の間の距離の平均は、前記第２の領域における記録許容画素の間の距離の平均よりも長いことを特徴とする画像記録方法。
【請求項１２】
インクを吐出するための複数の吐出口が配列方向に配列された吐出ヘッドを用いて記録を行う画像記録方法であって、
前記記録媒体を加熱する加熱工程と、
前記吐出ヘッドを前記記録媒体上の単位領域に対して前記配列方向と交差する走査方向に相対的に複数回走査させる走査工程と、
記録の許容を定める記録許容画素と記録の非許容を定める非記録許容画素が配置された分割パターンを前記単位領域に対応する画像のデータに対して適用することで、前記単位領域に対する複数回の走査それぞれにおいて使用する記録データを生成する生成工程と、を備え、
前記分割パターンは、吐出されたインクが前記記録媒体に着弾した際に第１の温度となる前記単位領域内の領域に対応する第１の領域と、吐出されたインクが前記記録媒体に着弾した際に前記１の温度より高い第２の温度となる前記単位領域内の領域に対応する第２の領域と、を含み、
前記第１の領域における記録許容画素の間の距離の平均は、前記第２の領域における記録許容画素の間の距離の平均よりも長いことを特徴とする画像記録方法。
【請求項１３】
インクを吐出するための複数の吐出口が配列方向に配列された吐出口列を有する吐出ヘッドを用いて記録を行う画像記録方法であって、
前記記録媒体を加熱する加熱工程と、
前記吐出口列を分割してなる複数の分割部分のうちそれぞれ異なる分割部分が複数回の走査それぞれで単位領域と対面するように、前記吐出ヘッドを前記単位領域に対して前記配列方向と交差する走査方向に相対的に複数回走査させる走査工程と、
記録の許容を定める記録許容画素と記録の非許容を定める非記録許容画素が配置された分割パターンを前記単位領域に対応する画像のデータに対して適用することで、前記単位領域に対する前記複数回の走査それぞれにおける前記複数の分割部分それぞれからの吐出にて使用する記録データを生成する生成工程と、を備え、
前記分割パターンは、前記吐出口列の前記配列方向における第１の位置に対応する第１の領域と、前記吐出口列の前記配列方向における前記第１の位置よりも端部側の第２の位置に対応する第２の領域と、を含み、
前記第１の領域において互いに隣接して配置された記録許容画素の数の平均は、前記第２の領域において互いに隣接して配置された記録許容画素の数よりも多いことを特徴とする画像記録方法。
【請求項１４】
インクを吐出するための複数の吐出口が配列方向に配列された吐出ヘッドを用いて記録を行う画像記録方法であって、
前記記録媒体を加熱する加熱工程と、
前記吐出ヘッドを前記記録媒体上の単位領域に対して前記配列方向と交差する走査方向に相対的に複数回走査させる走査工程と、
前記複数回の走査それぞれに対応し、記録の許容を定める記録許容画素と記録の非許容を定める非記録許容画素が配置された分割パターンを前記単位領域に対応する画像のデータに対して適用することで、前記単位領域に対する複数回の走査それぞれにおいて使用する記録データを生成する生成工程と、を備え、
前記分割パターンは、吐出されたインクが前記記録媒体に着弾した際に第１の温度となる前記単位領域内の領域に対応する第１の領域と、吐出されたインクが前記記録媒体に着弾した際に前記第１の温度より高い第２の温度となる前記単位領域内の領域に対応する第２の領域と、を含み、
前記第１の領域において互いに隣接して配置された記録許容画素の数の平均は、前記第２の領域において互いに隣接して配置された記録許容画素の数よりも多いことを特徴とする画像記録方法。
【請求項１５】
請求項１１から１４のいずれか１項に記載の画像記録方法をコンピュータに実行させるためのプログラム。
【手続補正２】
【補正対象書類名】明細書
【補正対象項目名】００２１
【補正方法】変更
【補正の内容】
【００２１】
そこで、本発明は、インクを吐出するための複数の吐出口が配列方向に配列された吐出口列を有する吐出ヘッドと、前記記録媒体を加熱する加熱手段と、前記吐出口列を分割してなる複数の分割部分のうちそれぞれ異なる分割部分が複数回の走査それぞれで単位領域と対面するように、前記吐出ヘッドを前記単位領域に対して前記配列方向と交差する走査方向に相対的に複数回走査させる走査手段と、記録の許容を定める記録許容画素と記録の非許容を定める非記録許容画素が配置された分割パターンを前記単位領域に対応する画像のデータに対して適用することで、前記単位領域に対する前記複数回の走査それぞれにおける前記複数の分割部分それぞれからの吐出にて使用する記録データを生成する生成手段と、を備えた画像記録装置であって、前記分割パターンは、前記吐出口列の前記配列方向における第１の位置に対応する第１の領域と、前記吐出口列の前記配列方向における前記第１の位置よりも端部側の第２の位置に対応する第２の領域と、を含み、前記第１の領域における記録許容画素の間の距離の平均は、前記第２の領域における記録許容画素の間の距離の平均よりも長いことを特徴とする。